(57)【要約】【課題】  意匠性を向上させ、かつリサイクル性の高い貯蔵室扉を有する冷蔵庫を得る。【解決手段】  貯蔵室を開閉する貯蔵室扉と、該貯蔵室扉の内面を形成する扉内板と、該扉内板の前方に設けられたガラス板と、該ガラス板の端部付近と係合する溝部を有する枠部材と、前記ガラス板と前記扉内板と前記枠部材とで形成される空間内に発泡充填された発泡断熱材と、前記ガラス板の前記発泡断熱材側に設けられた印刷塗料層と、該印刷塗料層上に貼り付けられた飛散防止用フィルムとを有する冷蔵庫において、前記ガラス板は角部がカットされたカット部を有し、該カット部は前記枠部材の前記溝部内に位置することを特徴とする。【選択図】図１
2010060190.tif 000002
【特許請求の範囲】
【請求項１】
貯蔵室を開閉する貯蔵室扉と、該貯蔵室扉の内面を形成する扉内板と、該扉内板の前部に設けられたガラス板と、該ガラス板の端部付近と係合する溝部を有する枠部材と、前記ガラス板と前記扉内板と前記枠部材とで形成される空間内に発泡充填された発泡断熱材と、前記ガラス板の前記発泡断熱材側に設けられた印刷塗料層と、該印刷塗料層上に貼り付けられた飛散防止用フィルムとを有する冷蔵庫において、
前記ガラス板は角部がカットされたカット部を有し、該カット部は前記枠部材の前記溝部内に位置することを特徴とする冷蔵庫。
【請求項２】
請求項１において、前記ガラス板は第一のガラス板と第二のガラス板が上下に設けられ、該第一のガラス板と該第二のガラス板との間に設けられた操作パネルと、該操作パネルの後方に前記発泡断熱材側に空間を形成するコントロールボックスとを有することを特徴とする冷蔵庫。
【発明の詳細な説明】
【技術分野】
【０００１】
本発明は冷蔵庫に関する。
【背景技術】
【０００２】
従来の冷蔵庫として、特許文献１に記載の冷蔵庫扉は、鋼板で構成することが記載されている。また、特許文献２に記載の冷蔵庫では、ガラス製の扉板とすることが記載されている。
【０００３】
【特許文献１】特開平０５−６６０８３号公報
【特許文献２】特開平０５−３２２４３６号公報
【発明の開示】
【発明が解決しようとする課題】
【０００４】
しかしながら、上記特許文献１に記載の冷蔵庫の場合、外面に塗装が施されており、表面へ傷がつき塗料の剥がれが生じることがある。また、鋼板等の金属を用いた冷蔵庫扉は、比重が大きい金属を使用しているため、重量増加を防ぐために板厚が０.４mm程度の薄い鋼板を使用している。これにより、製造過程や使用状態において、不慮の力で凹み傷が生じることがある。また、製造過程においては、発泡断熱材注入工程で、扉枠部品内全域へ発泡断熱材が行渡らない場合に、真空状態となり表面へ凹みが生じることがある。
【０００５】
また、従来の扉は、冷蔵庫の周囲環境変化で温度が低くなった場合に、樹脂性の枠部材が鋼板に比べて収縮が大きく、鋼板に突き当てられた箇所が破損し易い構造であった。しかも、鋼板の扉板は、発泡断熱材との密着が強く、分離は困難な構造であった。
【０００６】
特許文献２に記載の構成では、ガラス板が発泡断熱材もしくは接着層に密着して、扉本体にガラスが一体になっている。そのため、分離し難くリサイクル性が悪かった。
【０００７】
そこで本発明は、意匠性を向上させ、かつリサイクル性の高い貯蔵室扉を有する冷蔵庫を得ることを目的とする。
【課題を解決するための手段】
【０００８】
上記目的を達成するために、本発明は、貯蔵室を開閉する貯蔵室扉と、該貯蔵室扉の内面を形成する扉内板と、該扉内板の前方に設けられたガラス板と、該ガラス板の端部付近と係合する溝部を有する枠部材と、前記ガラス板と前記扉内板と前記枠部材とで形成される空間内に発泡充填された発泡断熱材と、前記ガラス板の前記発泡断熱材側に設けられた印刷塗料層と、該印刷塗料層上に貼り付けられた飛散防止用フィルムとを有する冷蔵庫において、前記ガラス板は角部がカットされたカット部を有し、該カット部は前記枠部材の前記溝部内に位置することを特徴とする。
【０００９】
また、前記ガラス板は第一のガラス板と第二のガラス板が上下に設けられ、該第一のガラス板と該第二のガラス板との間に設けられた操作パネルと、該操作パネルの後方に前記発泡断熱材側に空間を形成するコントロールボックスとを有することを特徴とする。
【発明の効果】
【００１０】
本発明によれば、意匠性を向上させ、かつリサイクル性の高い貯蔵室扉を有する冷蔵庫を得ることができる。
【発明を実施するための最良の形態】
【００１１】
本発明の実施の形態について、図面に基づいて説明する。図１は、本発明による冷蔵庫の構成を示す斜視図である。図２は、冷蔵庫の構成を示す縦断面図である。図１および図２において、冷蔵庫本体１は、複数の収納室に分割されている。冷蔵庫本体１の最上部は、左右両側に開く所謂フレンチドアである冷蔵室扉２ｂ，２ｃを備えた冷蔵室２ａである。冷蔵室２の下側は、手前に引き出して開放可能な引き出し扉３および４を備え、左右に分割された収納室である。例えば、一方は機能切り替え室３ａであり、他方は図示しない自動製氷装置によって製作された氷を蓄積して取り出す製氷室４ａである。さらに、その下部は引き出し扉５を備えた冷凍室５ａである。最下部は、引き出し扉６を備えた野菜室６ａとなっている構成である。尚、上段が野菜室６ａで、その下段が冷凍室５ａとなる構成でも良い。
【００１２】
図３は、冷蔵室扉２ｂの断面斜視図である。冷蔵室扉２ｂは、扉用ガラス板７が、樹脂製の枠部材で挟持されている。具体的に、図３に丸で囲んだ拡大図で示すように、上側扉枠部材８ａ，左側扉枠部材８ｂ，下側扉枠部材８ｃ，右側扉枠部材（図示せず）には、扉用ガラス板７を挟持する溝部８ｄが設けられている。この溝部８ｄに扉用ガラス板７が挿入されて保持され、冷蔵室扉２ｂの外面を形成している。これにより、扉用ガラス板７の脱落を防止でき、かつ意匠性を損なうことを防止できる。
【００１３】
また、冷蔵室扉２ｂの内側には扉内板９が設けられる。扉内板９は、パッキン取付溝９ａが外周に形成される。また、瓶や缶等を収納することができる容器である扉ポケット９ｂを取付けるための、扉ポケット取付部を有する。
【００１４】
このように、冷蔵室扉２ｂは、扉用ガラス板７，上側扉枠部材８ａ，左側扉枠部材８ｂ，下側扉枠部材８ｃ，右側扉枠部材、および扉内板９で閉じられた空間２ｄが形成される。この空間２ｄに発泡断熱材を充填することで、冷蔵室扉２ｂの強度および断熱性能を確保している。また、図３に丸で囲んだ拡大図で示すように、扉用ガラス板７の裏面には、印刷塗料層７ａが設けられる。印刷塗料層７ａ上には、さらに飛散防止用フィルム７ｂを有している。これにより、印刷塗料層７ａの剥がれを防止することができ、意匠性を損なうことを防止できる。さらにガラスが割れた場合のガラス片の飛散を防止することができる。
【００１５】
また、飛散防止フィルム７ｂは、主に塩化ビニル製シートとする。ここで、発泡断熱剤との接着強度を夫々比較すると、鋼板は約８Ｎ／mm2，ＡＢＳは約４〜６Ｎ／mm2程度である。それに対し、塩化ビニル製シートでは、２.４〜３.３Ｎ／mm2程度と低い。これにより、扉用ガラス板７を発泡断熱材から分離し易い。すなわち、飛散防止用フィルム７ｂは、発泡断熱材との密着性が弱く、冷蔵庫解体時には冷蔵室扉２ｂ本体から扉用ガラス板７を容易に取り外せるので、リサイクル性を向上することができる。具体的に、廃棄用冷蔵庫をリサイクルセンター等で解体する場合に、リサイクル部品として分別した扉用ガラス板７のみを取り外すことができる。
【００１６】
また、飛散防止フィルム７ｂは、扉用ガラス板７と外周を囲む樹脂性の枠部材のガラス板保持溝部の隙間でシール性を有するので、製造過程において発泡断熱材が枠部材から漏れ出ることを防ぎ、シール材等の漏れ防止部品を軽減できる。
【００１７】
また、従来の塗装された鋼板で形成された貯蔵室扉においては、平面的な印象を与える外観であったが、透明で且つ厚みのある扉用ガラス板７とすることで、外観に奥行きをもった深みのある印象を与え、意匠性を向上することができる。
【００１８】
また、扉用ガラス板７は、鋼板と比較して表面が滑らかであるので、清掃性を向上することができる。
【００１９】
また、強度を充分確保できる薄い扉用ガラス板７としたことにより、薄い鋼板を用いていた従来の形態に比べて、靭性が良く、表面への傷や凹みを防止できる。そのため、製造過程での不良率低減や、使用状態での不慮の傷付きや破損を防止できる。
【００２０】
図４は、冷蔵室扉２ｂの斜視図である。また、図４には、冷蔵室扉２ｂの反ヒンジ側の上端付近の部分断面の拡大斜視図を示す。扉用ガラス板７の角部はカットされており、すなわちコーナーカット部７ｃを有する。これにより、扉用ガラス板７は、取扱時の安全性を向上することができる。また、コーナーカット部７ｃは、上側扉枠部材８ａおよび／または左側扉枠部材８ｂの溝部８ｄに配置されている。換言すると、コーナーカット部７ｃが樹脂製の枠部材の溝部８ｄに位置する。これにより、冷蔵庫を設置した環境の変化（一例として温度変化）によって、樹脂性の枠部材が扉用ガラス板７よりも収縮した場合、枠部材がコーナーカット部７ｃへ逃げる空間を有しているので、枠部材の破損を防止することができる。
【００２１】
なお、上記説明は冷蔵室扉２ｂを中心にしているが、その他の貯蔵室扉（引き出し扉３，４５、および６）のいずれかであってもよく、同様の作用効果を奏することができる。
【００２２】
図５は、冷蔵庫の各種機能を操作するための操作ボタン付きの操作パネル１０を備えた冷蔵室扉２ｃの斜視図である。上述した冷蔵室扉２ｂとの相違は、冷蔵室扉２ｃは、２つの独立した第一のガラス板７ｄ及び第二のガラス板７ｅが上下に配置され、第一のガラス板７ｄ及び第二のガラス板７ｅの間に操作パネル１０が配置されている点である。その他、枠部材とガラス板との係合については、冷蔵室扉２ｂでの説明と同様である。
【００２３】
図６は、図５の操作パネル１０付近の断面を示す。操作パネル１０の後方には、操作パネル１０の実装部品を収納する空間を形成するコントロールボックス１１が設けられる。具体的に、コントロールボックス１１は外方に突出して断面が略Ｌ字状の突出部１１ａ１，１１ａ２を有する。上側の突出部１１ａ１は、第一のガラス板７ｄの背面及び下端部と接するように設けられ、下側の突出部１１ａ２は、第二のガラス板７ｅの背面及び上端部と接するように設けられる。
【００２４】
操作パネル１０は、背面に突出する凸部１０ａを有する。また、凸部１０ａよりも外周に延伸して、第一のガラス板７ｄ及び第二のガラス板７ｅと夫々接する係合部１０ｂを有する。
【００２５】
このように構成することで、第一のガラス板７ｄの下端部付近は、操作パネル１０の係合部１０ｂ、及びコントロールボックス１１の突出部１１ａ１とによって保持される。また、第二のガラス板７ｅの上端部付近は、操作パネル１０の係合部１０ｂ、及びコントロールボックス１１の突出部１１ａ２とによって保持される。
【００２６】
操作パネル１０の凸部１０ａは、コントロールボックス１１が形成する空間に位置しているので、操作パネル１０の位置ずれを防止することができる。
【００２７】
また、コントロールボックス１１の後方には、扉内板９との間に空間が形成される。換言すると、冷蔵室扉２ｃは、第一のガラス板７ｄ，第二のガラス板７ｅ，コントロールボックス１１，扉内板９、および枠部材によって空間が形成される。この空間は発泡断熱材１２を充填発泡して満たされる。このとき、コントロールボックス１１の突出部１１ａ１，１１ａ２には、第一のガラス板７ｄ，第二のガラス板７ｅに夫々接するように発泡断熱材１２の発泡圧が加わる。これにより、コントロールボックス１１と第一のガラス板７ｄ及び第二のガラス板７ｅとの係合関係を高めて、寸法精度及び強度を十分に確保した状態で操作パネル１０を取付けることができる。
【００２８】
これにより、扉用ガラス板７の一部をくりぬいたものよりも、強度を確保できる構造となる。
【００２９】
以上の構成とすることで、意匠性を向上させ、かつリサイクル性の高い貯蔵室扉を有する冷蔵庫を得るができる。
【図面の簡単な説明】
【００３０】
【図１】本発明による冷蔵庫の構成を示す斜視図。
【図２】本発明による冷蔵庫の構成を示す断面図。
【図３】本発明による冷蔵室扉の断面斜視図および部分断面の拡大斜視図。
【図４】本発明による冷蔵庫の冷蔵室扉および部分断面の拡大斜視図。
【図５】本発明による冷蔵庫の操作パネルを備えた冷蔵室扉の斜視図。
【図６】本発明による冷蔵庫の操作パネル部の断面図。
【符号の説明】
【００３１】
２ｂ，２ｃ  冷蔵室扉
７  扉用ガラス板
７ａ  印刷塗料層
７ｂ  飛散防止用フィルム
７ｃ  コーナーカット部
７ｄ  第一のガラス板
７ｅ  第二のガラス板
８ａ  上側扉枠部材
８ｂ  左側扉枠部材
８ｃ  下側扉枠部材
９  扉内板
１０  操作パネル
１１  コントロールボックス
１２  発泡断熱材
【図１】
2010060190.tif 000003
【図２】
2010060190.tif 000004
【図３】
2010060190.tif 000005
【図４】
2010060190.tif 000006
【図５】
2010060190.tif 000007
【図６】
2010060190.tif 000008